(57)【特許請求の範囲】
【請求項１】
内部に気体が導入される第１の管と、前記第１の管に連結されて前記第１の管から導入された気体を外部に放出する第２の管と、を備えたガス施用装置の設置方法であって、
気体を吹き出すための複数の吹出口が長手方向に間隔をあけて設けられた前記第１の管を、植物体が栽培される圃場の地面に沿って配置するステップと、
他の部位よりも切断しやすい形状である複数の切断補助形状が長手方向に間隔をあけて設けられた筒状の管材料を、前記切断補助形状が形成された部位で切断して第２の管を作成するステップと、
前記第１の管の前記吹出口に繋がるように前記第２の管の一端を前記第１の管に接続するステップと、
前記第２の管の他端を前記第１の管の上方位置に保持させるステップと、を含む、
ガス施用装置の設置方法。
【請求項２】
内部に気体が導入される第１の管と、前記第１の管に連結されて前記第１の管から導入された気体を外部に放出する第２の管と、を備えたガス施用装置の設置方法であって、
気体を吹き出すための複数の吹出口が長手方向に間隔をあけて設けられた前記第１の管を、植物体が栽培される圃場の地面に沿って配置するステップと、
他の部位よりも切断しやすい形状である複数の切断補助形状が長手方向に間隔をあけて設けられた筒状の管材料の一端が前記第１の管の前記吹出口に繋がるように、前記管材料の一端を前記第１の管に接続するステップと、
前記管材料を前記切断補助形状が形成された部位で切断して前記第２の管を作成するステップと、
前記第２の管において前記第１の管に接続される端部と反対側の端部を前記第１の管の上方位置に保持させるステップと、を含む、
ガス施用装置の設置方法。
【請求項３】
前記管材料の内部に通されて前記管材料の内面に取り付けられている紐状部材の一部を、前記管材料から前記第２の管を切り離すことによって前記第２の管の端部から露出させるステップと、
前記第２の管の前記端部から露出している前記紐状部材の一部を、前記第１の管の上方に配置された吊下げ部材に取り付けるステップとを、含む、
請求項１又は２に記載のガス施用装置の設置方法。
【請求項４】
内部に導入された気体を吹き出すための複数の吹出口が長手方向に間隔をあけて設けられている第１の管と、
他の部位よりも切断しやすい形状であり、所望の長さに切断するための複数の切断補助形状が長手方向に間隔をあけて設けられた第２の管と、を備え、
前記第２の管は、一端が前記吹出口に接続され、他端のみから気体を吹き出す、
ガス施用装置。
【請求項５】
内部に導入された気体を吹き出すための複数の吹出口が長手方向に間隔をあけて設けられている第１の管と、
他の部位よりも切断しやすい形状である複数の切断補助形状が長手方向に間隔をあけて設けられた管材料を前記切断補助形状が形成された部位で切断することによって形成されており、前記吹出口に繋がるように前記第１の管に一端が接続されている第２の管と、
前記第２の管の内部に通されて、前記第２の管の内面に保持部を介して取り付けられている紐状部材と、を備え、
前記紐状部材の一部が、前記第２の管において前記第１の管に接続される端部と反対側の端部から露出しており、
前記第２の管から露出する前記紐状部材の一部が、前記第１の管の上方に配置された吊下げ部材に取り付けられている、
ガス施用装置。
【請求項６】
前記紐状部材が、前記第２の管の内面において、前記複数の切断補助形状のうち隣り合う２つの切断補助形状の間の部位に、前記保持部を介して前記管材料の内面に取り付けられている、
請求項５に記載のガス施用装置。
【請求項７】
前記保持部が、前記紐状部材を分離可能な状態で保持している、
請求項５又は６に記載のガス施用装置。
【請求項８】
植物体の圃場に配置された請求項４〜７の何れか１項に記載のガス施用装置と、
前記植物体の圃場を囲むハウス本体と、を備えた、
農業用ハウス。
【発明の詳細な説明】
【技術分野】
【０００１】
本発明は、ガス施用装置の設置方法、ガス施用装置、及びガス施用装置を備える農業用ハウスに関し、特に、植物体の周囲に気体を施すためのガス施用装置の設置方法、ガス施用装置、及びガス施用装置を備える農業用ハウスに関する。
【背景技術】
【０００２】
従来、ハウス内の栽培植物へ炭酸ガスを施用する炭酸ガス施用装置が提案されている（例えば特許文献１参照）。この炭酸ガス施用装置では、栽培植物が定植された栽培ベッドの上方に炭酸ガス施用チューブが設置されている。炭酸ガス施用チューブは、炭酸ガスボンベから供給された炭酸ガスを放出する。
【先行技術文献】
【特許文献】
【０００３】
【特許文献１】特開２０１４−１６１３３７号公報
【発明の概要】
【発明が解決しようとする課題】
【０００４】
特許文献１の炭酸ガス施用装置では、炭酸ガス施用チューブが、栽培植物の頂点部分と接触しない高さに設置された柱に載せられている。そのため、栽培植物の高さにばらつきがある場合、栽培植物（植物体）の所望の高さに炭酸ガス（気体）を放出することができない可能性があった。
【０００５】
本発明の目的は、所望の高さ位置に気体を放出できるガス施用装置の設置方法、ガス施用装置、及びガス施用装置を備える農業用ハウスを提供することにある。
【課題を解決するための手段】
【０００６】
本発明の一態様のガス施用装置の設置方法は、内部に気体が導入される第１の管と、前記第１の管に連結されて前記第１の管から導入された気体を外部に放出する第２の管と、を備えたガス施用装置の設置方法である。前記ガス施用装置の設置方法は以下の４つのステップを含む。１つのステップは、気体を吹き出すための複数の吹出口が長手方向に間隔をあけて設けられた前記第１の管を、植物体が栽培される圃場の地面に沿って配置するステップである。１つのステップは、他の部位よりも切断しやすい形状である複数の切断補助形状が長手方向に間隔をあけて設けられた筒状の管材料を、前記切断補助形状が形成された部位で切断して第２の管を作成するステップである。１つのステップは、前記第１の管の前記吹出口に繋がるように前記第２の管の一端を前記第１の管に接続するステップである。１つのステップは、前記第２の管の他端を前記第１の管の上方位置に保持させるステップである。
【０００７】
本発明の一態様のガス施用装置の設置方法は、内部に気体が導入される第１の管と、前記第１の管に連結されて前記第１の管から導入された気体を外部に放出する第２の管と、を備えたガス施用装置の設置方法である。前記ガス施用装置の設置方法は以下の４つのステップを含む。１つのステップは、気体を吹き出すための複数の吹出口が長手方向に間隔をあけて設けられた前記第１の管を、植物体が栽培される圃場の地面に沿って配置するステップである。１つのステップは、他の部位よりも切断しやすい形状である複数の切断補助形状が長手方向に間隔をあけて設けられた筒状の管材料の一端が前記第１の管の前記吹出口に繋がるように、前記管材料の一端を前記第１の管に接続するステップである。１つのステップは、前記管材料を前記切断補助形状が形成された部位で切断して前記第２の管を作成するステップである。１つのステップは、前記第２の管において前記第１の管に接続される端部と反対側の端部を前記第１の管の上方位置に保持させるステップである。
【０００８】
本発明の一態様のガス施用装置は、第１の官と、第２の管と、を備える。前記第１の管には、内部に導入された気体を吹き出すための複数の吹出口が長手方向に間隔をあけて設けられている。前記第２の管は、他の部位よりも切断しやすい形状である複数の切断補助形状が長手方向に間隔をあけて設けられた管材料を前記切断補助形状が形成された部位で切断することによって形成されている。前記第２の管は、前記吹出口に繋がるように前記第１の管に一端が接続されている。
【０００９】
本発明の一態様の農業用ハウスは、植物体の圃場に配置されたガス施用装置と、前記植物体の圃場を囲むハウス本体と、を備える。
【発明の効果】
【００１０】
本発明によれば、所望の高さ位置に気体を放出できる。
【図面の簡単な説明】
【００１１】
【図１】図１は、本発明の実施形態１に係るガス施用装置の断面図である。
【図２】図２Ａは同上のガス施用装置に用いられる管材料の平面図である。図２Ｂは同上のガス施用装置の第２の管の平面図である。
【図３】図３は、同上のガス施用装置を用いる農業用ハウスの前後方向に沿った断面図である。
【図４】図４は、同上のガス施用装置を用いる農業用ハウスの左右方向に沿った断面図である。
【図５】図５Ａは、本発明の実施形態１の変形例に係るガス施用装置の第１の管の要部の断面図である。図５Ｂは、同上のガス施用装置の第１の管に第２の管が取り付けられた状態の要部の断面図である。
【図６】図６は、本発明の実施形態１の別の変形例に係るガス施用装置の第１の管の配置を示す平面図である。
【図７】図７Ａは、本発明の実施形態２に係るガス施用装置に用いられる管材料の断面図である。図７Ｂは、同上のガス施用装置の第２の管の断面図である。
【図８】図８は、同上のガス施用装置を用いる農業用ハウスの左右方向に沿った断面図である。
【発明を実施するための形態】
【００１２】
以下に説明する実施形態は、本発明に係るガス施用装置の設置方法、ガス施用装置、及びガス施用装置を備える農業用ハウスの一例にすぎない。本発明は、以下の実施形態に限定されず、以下の実施形態は、本発明の目的を達成できれば、設計等に応じて種々の変更が可能である。
【００１３】
（実施形態１）
実施形態１に係るガス施用装置１及び農業用ハウス１００について図１〜図６を参照して詳しく説明する。以下の説明では、図１などにおいて「上」、「下」、「左」、「右」、「前」、「後」の矢印で示す通りに各方向を規定する。ただし、これらの方向はガス施用装置及び農業用ハウスの使用時の方向を規定する趣旨ではない。また、図面中の各方向を示す矢印は説明のために表記しているに過ぎず、実体を伴わない。
【００１４】
（１）概要
実施形態１のガス施用装置１は、植物体２００が光合成を行うのに必要な炭酸ガス（二酸化炭素）を、植物体２００の周囲に放出することで、植物体２００の成長を促進する。
【００１５】
ガス施用装置１は、図１に示すように、第１の管１０と、第２の管２０とを備える。複数の吹出口１１が、第１の管１０の長手方向に間隔をあけて設けられている。複数の吹出口１１の各々は、第１の管１０の内部に導入された気体を吹き出すための孔である。第２の管２０は管材料３０（図２Ａ参照）から形成される。管材料３０には複数の切断補助形状（本実施形態ではミシン目２１）が長手方向に間隔をあけて設けられている。切断補助形状は、管材料３０の一部を他の部位に比べて切断しやすくするための形状である。第２の管２０は、管材料３０を切断補助形状が形成された部位で切断することによって形成されている（図２Ｂ参照）。第２の管２０は、吹出口１１に繋がるように第１の管１０に一端が接続されている。
【００１６】
また、本実施形態の農業用ハウス１００は、図３及び図４に示すように、植物体２００の圃場２１０に配置されたガス施用装置１と、植物体２００の圃場２１０を囲むハウス本体１０１と、を備えている。植物体２００は、例えばトマト、キュウリ、ナス、ピーマンなどの果菜植物であるが、果菜植物以外の葉物類などの植物体でもよい。
【００１７】
（２）詳細
（２．１）ガス施用装置１の説明
ガス施用装置１の構成を図１及び図２に基づいて説明する。
【００１８】
ガス施用装置１は、第１の管１０と、複数の第２の管２０と、を備える。
【００１９】
第１の管１０は、例えばポリ塩化ビニル、ポリオレフィンフィルム系樹脂、フッ素系樹脂などの比較的柔らかく、耐久性の高い合成樹脂で形成された中空のチューブである。第１の管１０には複数の吹出口１１が長手方向に間隔をあけて形成されている。複数の吹出口１１は、畝２２０に植えられる植物体２００の間隔と同程度の間隔で設けられており、例えば４０〜６０ｃｍの間隔で設けられている。第１の管１０は、厚みが０．１〜５ｍｍ程度の管である。なお、第１の管１０の材料は、天然ゴム、合成ゴムでもよいし、金属でもよい。
【００２０】
第１の管１０の一端（前端）は、炭酸ガスのガス供給源５０に接続されている。ガス供給源５０は、例えば、灯油などの化石燃料を燃焼させて炭酸ガスを発生する発生装置であるが、炭酸ガスの生ガスが充填されたガスボンベでもよい。なお、第１の管１０の他端（後端）は閉塞されている。
【００２１】
複数の第２の管２０の各々は、吹出口１１に繋がるようにして第１の管１０に一端が接続されている。
【００２２】
第２の管２０は、チューブ状の管材料３０から形成される。管材料３０は、例えばポリ塩化ビニル、ポリオレフィンフィルム系樹脂などの比較的柔らかい合成樹脂で、筒状に形成されている。なお、管材料３０は天然ゴムや合成ゴムなどでもよい。
【００２３】
人の手で管材料３０を所望の長さに切断できるように、複数の切断補助形状が管材料３０の長手方向に間隔をあけて設けられている。切断補助形状は、管材料３０の一部を他の部位よりも切断しやすくするための形状である。本実施形態では切断補助形状がミシン目２１であり、複数のミシン目２１が管材料３０の長手方向に間隔をあけて形成されている。ミシン目２１は、管材料３０の長手方向と交差する方向に沿って形成されており、管材料３０の全周に亘って形成されている。
【００２４】
第２の管２０は、所望の長さになるように、管材料３０をミシン目２１で切断して形成される。
【００２５】
第２の管２０の一端は、吹出口１１に繋がるように、第１の管１０に接続されている。第２の管２０の一端は、例えば第１の管１０に接着されている。
【００２６】
ここにおいて、第２の管２０の孔の直径は、第１の管１０の孔の直径よりも小さいことが好ましい。第２の管２０の孔の直径を、第１の管１０の孔の直径よりも小さくすることで、第１の管１０から第２の管２０に分岐する気体の量が少なくなり、第１の管１０の奥（後方）まで気体が届きやすくなる。
【００２７】
なお、第１の管１０の複数の接続口１１にそれぞれ接続される複数の第２の管２０は、植物体２００に応じた長さに形成されていればよく、接続口１１ごとに接続される第２の管２０の長さを変えてもよい。
【００２８】
また、第１の管１０に設けられた複数の吹出口１１の全てに第２の管２０が取り付けられる必要は無く、必要な箇所のみに第２の管２０が取り付けられればよい。第２の管２０が取り付けられない吹出口１１はゴム栓などの栓で塞がれていればよい。
【００２９】
（２．２）農業用ハウスの説明
農業用ハウス１００は、図３及び図４に示すように、圃場２１０を囲むハウス本体１０１を備えている。ハウス本体１０１は、例えば金属製のパイプを組み合わせて構成されたフレーム１０３と、フレーム１０３により支持された被覆材１０４とを備えている。被覆材１０４はガラスでもよいが、透光性を有する透明又は半透明の合成樹脂フィルムでもよい。
【００３０】
農業用ハウス１００が囲んでいる圃場２１０には複数（図４では２つ）の畝２２０が作られており、２つの畝２２０のそれぞれにガス施用装置１が配置されている。
【００３１】
ガス施用装置１の第１の管１０は、圃場２１０に設けられた畝２２０に沿って配置されている。第１の管１０は、例えば畝２２０の上に置かれており、畝２２０に植えられた植物体２００の株元に配置されている。
【００３２】
第２の管２０の一端は、吹出口１１に繋がるように、第１の管１０に接続されている。第２の管２０の一端は、例えば第１の管１０に接着されている。第２の管２０の他端には連結具１２１の一端が接続されており、連結具１２１の他端は支持棒１２０に取り付けられている。支持棒１２０は、ハウス本体１０１の内部において第１の管１０上方位置に地面と平行になるように設けられているので、第２の管２０の他端は、第１の管１０の上方位置に保持される。
【００３３】
以上のように、第１の管１０は、圃場２１０の地面に沿って配置される。第１の管１０には、複数の吹出口１１が長手方向に間隔をあけて設けられている。第２の管２０の一端は、吹出口１１に繋がるように第１の管１０に接続されている。第２の管２０の他端は、連結具１２１を介して支持棒１２０に取り付けられており、第２の管２０は第１の管１０から上側に立ち上がっている。ここで、第２の管２０の上端位置が、植物体２００の成長点と同じか又は植物体２００の成長点よりも高い位置になるように、第２の管２０の長さが決められている。なお、支持棒１２０は、ハウス本体１０１のフレーム１０３に固定されている。
【００３４】
農業用ハウス１００の外部にはガス供給源５０が設置されている。２つのガス施用装置１の各々が備える第１の管１０の一端は、それぞれ、ガス供給源５０に接続されている。したがって、本実施形態では、１つのガス供給源５０から２つのガス施用装置１の第１の管１０に炭酸ガスが供給されている。
【００３５】
（２．３）ガス施用装置の設置方法
本実施形態のガス施用装置１は以下のステップで組み立てられる。第１のステップでは、第１の管１０が、植物体２００が栽培される圃場２１０の地面に沿って配置される。第２のステップでは、筒状の管材料３０が、切断補助形状が形成された部位で切断されることによって、所望の長さの第２の管２０が作成される。第３のステップでは、第２の管２０の一端が、第１の管１０の吹出口１１に繋がるように第１の管１０に接続される。第４のステップでは、第２の管２０の他端が第１の管１０の上方位置に保持される。
【００３６】
なお、第１の管１０に管材料３０の一端を接続した後に、管材料３０を所望の長さに切断して、第２の管２０を形成しても良い。この場合、第２のステップでは、管材料の一端が第１の管１０の吹出口１１に繋がるように、管材料３０の一端が第１の管１０に接続される。そして、第３のステップでは、管材料３０が、切断補助形状の形成された部位で切断されることによって、所望の長さの第２の管２０が形成される。
【００３７】
（２．４）動作説明
本実施形態のガス施用装置１は植物体２００に炭酸ガスを施用する装置であり、ガス供給源５０が、所望のタイミングで、所望の量だけ、炭酸ガスを第１の管１０に供給する。
【００３８】
例えば、植物体２００の近傍、すなわち植物体２００の成長点に近い位置には、炭酸ガスの濃度を検出するガスセンサ５１が配置されている。ガスセンサ５１は、炭酸ガスのガス濃度を検知可能な電気化学式のガスセンサである。ガスセンサ５１の検出値が所定の閾値を下回ると、ガス検出源５０は例えば一定量の炭酸ガスを第１の管１０に放出する。ここで、炭酸ガスの濃度の閾値は、大気中の炭酸ガス濃度に近い４００ｐｐｍから２０００ｐｐｍの間に設定されている。炭酸ガスの濃度が高濃度になると、植物体２００の成長を促進する効果が低くなる傾向があるので、炭酸ガスの濃度の閾値は４００ｐｐｍから１０００ｐｐｍの間で設定されてもよい。
【００３９】
なお、ガス供給源５０は、２４時間タイマなどを用いて、毎日、決まった時間に所定の量の炭酸ガスを第１の管１０に供給してもよい。
【００４０】
ガス供給源５０から第１の管１０に供給された炭酸ガスは、第２の管２０を通って、第２の管２０の上端から外部に放出される。第２の管２０の上端から放出された炭酸ガスは、拡散しながら下側へ降りていく。第２の管２０の上端の高さは植物体２００の成長点と同じか又は成長点よりも高いので、第２の管２０から放出された炭酸ガスは、植物体２００の成長点付近の上部の葉に接触しながら、植物体２００の下側へゆっくりと落ちていく。植物体２００では、下側の古い葉に比べて、成長点に近い上側の新しい葉の方が光合成が盛んである。本実施形態のガス施用装置１は、植物体２００の成長点と同じか又は成長点よりも高い位置から炭酸ガスを放出しているので、植物体２００の成長点付近の炭酸ガス濃度が高くなる。したがって、植物体２００での光合成が盛んになって、植物体２００の成長が促進されるから、収穫量を高めることができる。
【００４１】
（３）効果
上述のように、本実施形態のガス施用装置１の設置方法は、内部に気体が導入される第１の管１０と、第１の管１０に連結されて第１の管１０から導入された気体を外部に放出する第２の管２０と、を備えたガス施用装置１の設置方法である。ガス施用装置１の設置方法は次の４つのステップを含む。１つのステップは、気体を吹き出すための複数の吹出口１１が長手方向に間隔をあけて設けられた第１の管１０を、植物体２００が栽培される圃場２１０の地面に沿って配置するステップである。１つのステップは、他の部位よりも切断しやすい形状である複数の切断補助形状（本実施形態ではミシン目２１）が長手方向に間隔をあけて設けられた筒状の管材料３０を、切断補助形状が形成された部位で切断して第２の管２０を作成するステップである。１つのステップは、第１の管１０の吹出口１１に繋がるように第２の管２０の一端を第１の管１０に接続するステップである。１つのステップは、第２の管２０の他端を第１の管１０の上方位置に保持させるステップである。
【００４２】
この設置方法によれば、第２の管２０の長さを所望の長さに作成できるので、所望の高さ位置に気体を放出することができる。したがって、複数の吹出口１１のそれぞれに接続される第２の管２０の長さを植物体２００の高さに合わせた長さとすれば、植物体２００の高さに合わせた高さ位置から気体が放出される。第２の管２０の他端は第１の管１０の上方位置に保持されているので、第２の管２０の上端の位置を植物体２００の成長点と同じか又は成長点よりも高い位置にすれば、植物体２００の成長点と同じか又は成長点よりも高い位置から気体を放出できる。そして、ガス施用装置１から放出される気体が炭酸ガスであれば、炭酸ガスは下側に降りていくので、植物体２００の成長点付近での炭酸ガス濃度が高くなる。よって、植物体の光合成が盛んになり、植物体２００の成長を促進することができる。また、管材料３０から所望の長さで切り離した第２の管２０を第１の管１０に接続しているので、現場で第２の管２０を形成する作業を行わなくてもよく、作業効率が向上する。また、第２の管２０の他端は第１の管１０の上方位置に保持されているので、第２の管２０は自立する必要が無い。したがって、第２の管２０が柔らかい材料で形成されてもよいから、第２の管２０が剛体で形成されている場合に比べて、第１の管１０から上側に立ち上がっている第２の管２０が作業の邪魔になりにくい。
【００４３】
また、ガス施用装置１の設置方法は次の４つのステップを含んでもよい。１つのステップは、気体を吹き出すための複数の吹出口１１が長手方向に間隔をあけて設けられた第１の管１０を、植物体２００が栽培される圃場２１０の地面に沿って配置するステップである。１つのステップは、他の部位よりも切断しやすい形状である複数の切断補助形状（本実施形態ではミシン目２１）が長手方向に間隔をあけて設けられた筒状の管材料の一端が第１の管１０の吹出口１１に繋がるように、管材料３０の一端を第１の管１０に接続するステップである。１つのステップは、管材料３０を切断補助形状が形成された部位で切断して第２の管２０を作成するステップである。第２の管２０において第１の管１０に接続される端部と反対側の端部を第１の管１０の上方位置に保持させるステップである。
【００４４】
この設置方法でも、第２の管２０の長さを所望の長さに作成できるので、所望の高さ位置に気体を放出することができる。したがって、複数の吹出口１１のそれぞれに接続される第２の管２０の長さを植物体２００の高さに合わせた長さとすれば、植物体２００の高さに合わせた高さ位置から気体が放出される。第２の管２０の他端は第１の管１０の上方位置に保持されているので、第２の管２０の上端の位置を植物体２００の成長点と同じか又は成長点よりも高い位置にすれば、植物体２００の成長点と同じか又は成長点よりも高い位置から気体を放出できる。そして、ガス施用装置１から放出される気体が炭酸ガスであれば、炭酸ガスは下側に降りていくので、植物体２００の成長点付近での炭酸ガス濃度が高くなる。よって、植物体の光合成が盛んになり、植物体２００の成長を促進することができる。また、第２の管２０の他端は第１の管１０の上方位置に保持されているので、第２の管２０は自立する必要が無い。したがって、第２の管２０が柔らかい材料で形成されてもよいから、第２の管２０が剛体で形成されている場合に比べて、第１の管１０から上側に立ち上がっている第２の管２０が作業の邪魔になりにくい。
【００４５】
また、本実施形態のガス施用装置１は、第１の管１０と、第２の管２０とを備えている。第１の管１０には、内部に導入された気体を吹き出すための複数の吹出口１１が長手方向に間隔をあけて設けられている。第２の管２０は管材料３０を切断補助形状が形成された部位で切断することによって形成されている。切断補助形状は、管材料３０の他の部位よりも切断しやすい形状である。複数の切断補助形状が管材料３０の長手方向に間隔をあけて設けられている。第２の管２０は、吹出口１１に繋がるように第１の管１０に一端が接続されている。
【００４６】
これにより、第２の管２０の長さを所望の長さに作成できるので、複数の吹出口１１のそれぞれに接続される第２の管２０の長さを植物体２００の高さに合わせた長さとすることができる。また、第２の管２０の他端を第１の管１０の上方位置に配置できるので、第２の管２０の上端位置を植物体２００の成長点と同じか又は成長点よりも高い位置にすれば、植物体２００の成長点と同じか、又は、成長点よりも高い位置に気体を放出できる。そして、ガス施用装置１から放出される気体が炭酸ガスであれば、炭酸ガスは下側に降りていくので、植物体２００の成長点付近での炭酸ガス濃度が高くなる。よって、植物体の光合成が盛んになり、植物体２００の成長を促進することができる。
【００４７】
また、本実施形態の農業用ハウス１００は、ガス施用装置１と、ハウス本体１０１とを備える。ガス施用装置１は、植物体２００の圃場２１０に配置されている。ハウス本体１０１は、植物体２００の圃場２１０を囲んでいる。
【００４８】
農業用ハウス１００は、上記のガス施用装置１を備えているので、植物体２００の成長を促進することができる。
【００４９】
（４）実施形態１の変形例
実施形態１のガス施用装置１は植物体２００の周りに炭酸ガスを放出しているが、炭酸ガス以外の気体を放出してもよい。ガス施用装置１は、例えば害虫を防除するための薬剤を含んだ気体を放出してもよい。
【００５０】
実施形態１のガス施用装置１では、管材料３０に設けられた切断補助形状がミシン目２１であったが、切断補助形状はミシン目に限定されない。切断補助形状は、断続的に切れ目が入れられたような形状でもよいし、管材料３０の長手方向と交差する方向に沿って延びる、他の部位よりも厚みが薄い薄肉形状でもよい。
【００５１】
実施形態１のガス施用装置１において、第２の管２０の一端は分岐金具４０を介して第１の管１０に接続されてもよい（図５Ｂ参照）。分岐金具４０は円筒状であり、一端側にフランジ部４１を有している（図５Ａ参照）。分岐金具４０は、フランジ部４１を吹出口１１の周縁部分に接触させた状態で、第１の管１０に予め取り付けられている。分岐金具４０は第１の管１０に接着されてもよいし、分岐金具４０の一部を第１の管１０の吹出口１１に圧入することで分岐金具４０が第１の管１０に取り付けられてもよい。分岐金具４０の周面には全周に亘って窪み部４２が設けられている。第２の管２０の一端を分岐金具４０に被せた状態で、金属製のバンド４３を窪み部４２に嵌めて、バンド４３と分岐金具４０との間に第２の管２０を挟むことによって、第２の管２０が分岐金具４０に取り付けられる（図５Ｂ参照）。
【００５２】
このように、第２の管２０がバンド４３で分岐金具４０に取り付けられていれば、第２の管２０の交換を容易に行うことができる。
【００５３】
また、実施形態１のガス施用装置１では、第２の管２０を吊下げる支持棒１２０がハウス本体１０１のフレーム１０３に固定されているが、支持棒１２０はハウス本体１０１のフレーム１０３に固定されていなくてもよい。例えば、支持棒１２０は、圃場２１０に立てられた複数本の支柱で、地面と平行になるように支持されていてもよい。
【００５４】
また、実施形態１のガス施用装置１において、図６に示すように、複数（例えば２本）の第１の管１０の一端が第１の連結管１２に連結され、複数の第１の管１０の他端が第２の連結管１３に連結されることで、環状の管路１４が形成されてもよい。そして、ガス供給源５０は、環状の管路１４に第３の連結管１５を介して連結されている。なお、図６では第２の管２０の図示を省略している。
【００５５】
このように、複数の第１の管１０を含む管路１４が環状に形成されることで、ガス供給源５０から供給される炭酸ガスの量が少なく、第１の管１０内の圧力が低い場合でも、環状の管路１４内、すなわち第１の管１０内で圧力のばらつきが小さくなる。よって、第１の管１０から、第１の管１０に接続された複数の第２の管２０にそれぞれ供給される炭酸ガスの量のばらつきが小さくなり、複数の第２の管２０から植物体２００に供給される炭酸ガスの量のばらつきが低減される。
【００５６】
（実施形態２）
実施形態２のガス施用装置１について説明する。実施形態２のガス施用装置１では、図７Ａに示すように、管材料３０Ａの内部に紐状部材２２が通されている。紐状部材２２は、管材料３０Ａの内面に取り付けられている。このような管材料３０Ａを所望の長さに切断して第２の管２０Ａが形成されている。なお、第２の管２０Ａ、紐状部材２２、管材料３０Ａ以外の構成で実施形態１と共通する構成には同一の符号を付して、その説明は省略する。
【００５７】
紐状部材２２は、例えばナイロン、ポリプロピレンなどの合成樹脂、又は木綿、麻などの天然繊維で形成されている。紐状部材２２は、図７Ａに示すように、管材料３０Ａの内部に通されている。紐状部材２２は、管材料３０Ａの内面に接着剤２３で接着されている。本実施形態では、紐状部材２２は、管材料３０Ａの内面における隣り合う２つのミシン目２１の間の部位にそれぞれ接着されている。接着剤２３の接着強度は、第２の管２０の重量を支えるのに必要な接着強度であって、人の力で紐状部材２２を接着剤２３から外せる程度の接着強度であることが好ましい。接着剤２３と紐状部材２２との接着強度は、接着剤２３自体の粘着力で調整するか、又は、接着剤２３と紐状部材２２との接着面積で調整するか、又は、接着剤２３の粘着力と接着面積の両方で調整すればよい。
【００５８】
このような管材料３０Ａから第２の管２０Ａを作成する場合、管材料３０Ａを第２の管２０Ａの必要な全長よりも長めに切断した後に、図７Ｂに示すように、不要部分３１をミシン目２１のところで切り離して、所望の長さの第２の管２０Ａを形成する。そして、不要部分３１に接着剤２３で止められていた紐状部材２２を接着剤２３から外すと、第２の管２０Ａから紐状部材２２の端部が露出した状態となる。第２の管２０Ａから露出する紐状部材２２の端部が固定紐２２ａとなり、この固定紐２２ａが支持棒１２０にくくりつけられることで、第２の管２０Ａが支持棒１２０から吊り下げられた状態となる（図８参照）。
【００５９】
以上のように、実施形態２のガス施用装置１の設置方法は、次の２つのステップを含む。１つのステップは、管材料３０Ａの内部に通されて管材料３０Ａの内面に取り付けられている紐状部材２２の一部を、管材料３０Ａから第２の管２０Ａを切り離すことによって、第２の管２０Ａの端部から露出させるステップである。また、１つのステップは、第２の管２０Ａの端部から露出している紐状部材２２の一部（固定紐２２ａ）を、第１の管１０の上方に配置された吊下げ部材（支持棒１２０）に取り付けるステップである。
【００６０】
このように、管材料３０Ａを切断して第２の管２０を形成することで、管材料３０Ａの内部に通されている紐状部材２２の一部を露出させ、この紐状部材２２の一部を吊下げ部材に取り付けている。したがって、第２の管２０を吊下げ部材に取り付けるための資材を別途用意する必要が無く、施工の手間を少なくできる。
【００６１】
実施形態２のガス施用装置１は、第１の管１０と、第２の管２０Ａとを備え、紐状部材２２を更に備えている。紐状部材２２は、第２の管２０Ａの内部に通されている。紐状部材２２は、第２の管２０Ａの内面に保持部（本実施形態では接着剤２３）を介して取り付けられている。紐状部材２２の一部（固定紐２２ａ）が、第２の管２０Ａにおいて第１の管１０に接続される端部と反対側の端部から露出している。第２の管２０Ａから露出する紐状部材２２の一部が、第１の管１０の上方に配置された吊下げ部材（支持棒１２０）に取り付けられている。なお、この構成はガス施用装置１に必須の構成ではなく、適宜省略が可能である。また、この構成は実施形態１の構成及び変形例と適宜組み合わせることが可能である。
【００６２】
第２の管２０を吊下げ部材に取り付けるための資材を別途用意しなくてもよいから、施工の手間を少なくできる。
【００６３】
また、実施形態２のガス施用装置１において、紐状部材２２が、第２の管２０の内面において、複数の切断補助形状のうち隣り合う２つの切断補助形状の間の部位に、保持部２３を介して管材料３０の内面に取り付けられていてもよい。
【００６４】
これにより、管材料３０Ａが、複数の切断補助形状が形成された部位のうちどの部位で切断されても、切断箇所の近くで紐状部材２２が管材料３０の内面に取り付けられている。したがって、第２の管２０の端部から露出する紐状部材２２の一部を吊下げ部材に取り付けることで、第２の管２０を吊下げ部材から吊下げられた状態とすることができる。なお、この構成はガス施用装置１に必須の構成ではなく、適宜省略が可能である。また、この構成は実施形態１の構成及び変形例と適宜組み合わせることが可能である。
【００６５】
また、実施形態２のガス施用装置１において、保持部（本実施形態では接着剤２３）が、紐状部材２２を分離可能な状態で保持してもよい。
【００６６】
これにより、管材料３０Ａから必要な全長よりも長めに切断した後に、切断補助部材が形成された部位で切断して、所望の長さの第２の管２０Ａが形成された場合に、切断された不要部分から紐状部材２２を外すことができる。不要部分から外された紐状部材２２の一部は第２の管２０の一端側から露出しているので、この紐状部材２２の一部を吊下げ部材に取り付けることができる。よって、第２の管２０を吊下げ部材に取り付けるための資材を別途用意する必要が無く、施工の手間を少なくできる。なお、この構成はガス施用装置１に必須の構成ではなく、適宜省略が可能である。また、この構成は実施形態１の構成及び変形例と適宜組み合わせることが可能である。
【００６７】
なお、本実施形態のガス施用装置１において、管材料３０は以下のような方法で形成されている。帯状のシートの上面に、シートの長手方向に沿って所定の間隔で接着剤２３を塗布した後に、帯状のシートの上面に紐状部材２２を配置して、紐状部材２２を接着剤２３でシートに固定する。そして、帯状のシートを短手方向において２つ折りにして、短手方向の両端を重ね合わせ、重ね合わされたシートの短手方向の両端部分を接着又は溶着すれば、内部に紐状部材２２が通された筒状の管材料３０が形成される。
【００６８】
また、管材料３０は以下のような方法で形成されてもよい。帯状のシートの上面に、シートの長手方向に沿って紐状部材２２を配置した後、帯状のシートを短手方向において２つ折りにして、短手方向の両端を重ね合わせ、重ね合わされたシートの短手方向の両端部分を接着又は溶着することで、筒状の管材料３０を形成する。そして、２つ折りにされたシート同士を超音波溶着又は接着することで、紐状部材２２が中心に通されたループ部分を作り、このループ部分で紐状部材２２を保持してもよい。
【００６９】
ところで、本実施形態のガス施用装置１において、接着剤２３の代わりに、両面に粘着層が形成された両面テープを用いて紐状部材２２が第２の管２０の内面に保持されていてもよい。
【００７０】
また、本実施形態のガス施用装置１において、紐状部材２２の全長に亘って接着剤が塗布され、紐状部材２２が全長に亘って第２の管２０の内面に接着されていてもよい。この場合でも、人の力だ外せる程度の粘着力の接着剤を使用すれば、紐状部材２２を第２の管２０の内面から外すことができる。
【００７１】
また、本実施形態のガス施用装置１では、第２の管２０の内部に紐状部材２２が通されて、紐状部材２２が第２の管２０の内面に接着されているが、第２の管２０の外側に紐状部材２２が配置され、紐状部材２２が第２の管２０の外側面に接着されていてもよい。
【００７２】
なお、実施形態２で説明した構成（変形例を含む）は、実施形態１で説明した構成（変形例を含む）と適宜組み合わせて適用である。
【符号の説明】
【００７３】
１  ガス施用装置
１０  第１の管
１１  吹出口
２０，２０Ａ  第２の管
２１  ミシン目（切断補助形状）
２２  紐状部材
２２ａ  固定紐（紐状部材の一部）
３０，３０Ａ  管材料
３１  不要部分
１００  農業用ハウス
１０１  ハウス本体
１２０  支持棒
２００  植物体
２１０  圃場
【図１】
0006655795.tif 000002
【図２】
0006655795.tif 000003
【図３】
0006655795.tif 000004
【図４】
0006655795.tif 000005
【図５】
0006655795.tif 000006
【図６】
0006655795.tif 000007
【図７】
0006655795.tif 000008
【図８】
0006655795.tif 000009